(57)【要約】【課題】  代かきから田植までの日数を合わせることで、処理方法または使用時期を容易に把握することができる除草剤処理適期早見表を提供する。【解決手段】  回転円盤１０と、表示体２０とを備え、表示体２０に対して回転円盤１０が回転可能に支持されており、回転円盤１０の面には、前記期間を示す１からＮまでの数字が回転円盤１０の周方向に間隔を置いて記載された第１の表示部１２と、第１の表示部１２から回転円盤１０の回転半径方向に間隔をあけて、前記１からＮまでの数字のそれぞれに対応する情報が回転円盤１０の周方向に間隔を置いて記載された第Ｘの表示部１３，１４とが設けられ、表示体２０には、回転円盤１０を回転させて、第１の表示部１２の任意の１つの数字が視認可能なように形成された第１の表示穴２２と、第１の表示穴２２に表示された前記期間に対応する情報が視認可能なように形成された第Ｘの表示穴２３，２４とが設けられている。【選択図】      図１
2005229816.tif 000002
【特許請求の範囲】
【請求項１】
代かきから田植までの期間を基準にして除草剤の散布時期を確認するための除草剤処理適期早見表であって、
回転円盤と、該回転円盤の少なくとも１つの面を覆う表示体とを備え、該表示体に対して前記回転円盤が回転可能に支持されており、
前記表示体に覆われる前記回転円盤の面には、前記期間を示す１からＮ（Ｎは自然数）までの数字が前記回転円盤の周方向に間隔を置いて記載された第１の表示部と、該第１の表示部から前記回転円盤の回転半径方向に間隔をあけて、前記１からＮまでの数字のそれぞれに対応する除草剤処理情報が前記回転円盤の周方向に間隔を置いて記載された第Ｘ（Ｘは２以上の自然数）の表示部とが設けられ、
前記表示体には、前記回転円盤を回転させて、前記第１の表示部の任意の１つの数字が視認可能なように形成された第１の表示穴と、該第１の表示穴に表示された前記期間に対応する情報が視認可能なように形成された第Ｘの表示穴とが設けられていることを特徴とする除草剤処理適期早見表。
【請求項２】
前記表示部がＲ（Ｒは２以上の自然数）個の領域に区分けされ、Ｒ個のうちの１つの領域に前記期間と前記処理情報が視認可能に表示され、その他の領域にそれぞれ他の除草剤処理期間と処理情報が視認可能に表示されていることを特徴とする請求項１に記載の除草剤処理適期早見表。
【請求項３】
前記表示体が前記回転円盤の面の両側に設けられ、前記表示体のそれぞれの端部を接続して前記回転円盤を内包する袋状にし、前記表示体の両側の面にさらに他の除草剤処理期間と処理情報がそれぞれ表示されていることを特徴とする請求項１または請求項２に記載の除草剤処理適期早見表。
【請求項４】
前記表示体の外周に少なくとも一つの切欠き部を設け、該切欠き部から露出している前記回転円盤の縁部を把持して前記回転円盤を回転させることを特徴とする請求項３に記載の除草剤処理適期早見表。
【請求項５】
前記第Ｘの表示体の表示穴から視認可能な情報には、一発処理を行う場合の情報と、体系処理を行う場合の情報が含まれていることを特徴とする請求項１から請求項４に記載の除草剤処理適期早見表。
【発明の詳細な説明】
【技術分野】
【０００１】
本発明は、水稲用除草剤の適切な散布時期を容易に把握することのできる除草剤処理適期早見表に関するものである。
【背景技術】
【０００２】
水稲用除草剤などの農薬は、それぞれの薬剤毎に使用基準が定められており、この使用基準に基づいて農薬の使用期間が決定されている。ゆえに、農薬を散布する作業は、この使用期間内に行わなければならない。
【０００３】
一般的な水稲用除草剤には、初期剤、初期一発剤、初・中期一発剤、中期剤および後期剤などの種類があり、これらの種類は、除草剤を散布する時期によって区分けされている。この中で、一発剤とは、除草効果が散布後長期間発揮され、かつ幅広い種類の雑草に効果を有するという特性をもつもので、基本的に１回の散布で防除可能な除草剤のことである。
【０００４】
これに対して、異なった時期で２回以上除草剤を散布して雑草防除する場合は、体系防除あるいは体系処理といわれている。この体系防除を前提としたときに、最初に使用されるのが初期剤であり、代かきから田植の前後まで散布される。
想定される体系防除での散布方法としては、
（イ）初期剤  →  中期剤  →後期剤（必要により散布）
（ロ）初期剤  →  後期剤
（ハ）初期剤  →  初期・中期一発剤  →  後期剤（必要により散布）
などである。ただし、（ハ）の初期剤の使用は、代かき後田植までの日数が長いか、ノビエが長期間にわたり少しずつ発生するような場合の初期・中期一発剤の補正的な使用である。
【０００５】
一方、前記の使用基準に基づいて決められた除草剤の使用時期は、田植後の日数およびノビエの葉齢の範囲で示されているため、下記の理由で除草剤の散布適期と完全に一致するものではなかった。
（１）雑草の生育は、実際は田植後ではなく、代かき後に開始しているので、田植後日数が同じでも、代かき後田植までの日数が異なると葉齢が異なる。
（２）温暖化で雑草の生育速度が速くなり、使用期間内でも効果を発揮する限界の葉齢を過ぎていることがある。
（３）体系処理で初期剤を使用したときには、その後の雑草の生育が一定しない。
【０００６】
このように、この一発処理または体系処理のどちらを選定するか、およびその除草剤、特に初期・中期一発処理剤の使用期間を把握した上で散布の日を知ることは、一般の農家では困難であるという問題点がある。
【０００７】
そのため、このような処理方法や散布時期を容易に把握できるものが要求されている。従来、例えば、特許文献１または特許文献２のように、農薬の散布時期を早見表としてまとめたものが開示されている。この特許文献１の早見表は、大きさの異なる３枚の円板とこれらの円板を横切る罫線等の表示部を有する指示板とをそれぞれ回転可能に同軸に軸支して構成されている。この早見表から得られる情報としては、害虫の生育期や繁殖期、殺虫剤の散布時期である。また、特許文献２の早見表についても、特許文献１と同じように、大円板と小円板と指示板とが同軸の回転軸によって回転可能な構成となっており、得られる情報は、適正な穂肥窒素量である。
【特許文献１】特開平９−０２８１９２号公報
【特許文献２】特開平１０−２６号公報
【発明の開示】
【発明が解決しようとする課題】
【０００８】
しかしながら、上述のような早見表では、多くの文字が記載された円板上に指示板を合わせて読み取るようになっているため、指示板を早見表の適正位置に合わせることができたとしても、誤って他の散布時期の情報を読んでしまうことがある。また、円板上に多くの文字があるため、一見して情報を把握することが困難である。
【０００９】
本発明はこのような実情に鑑みてなされたものであって、その目的は、代かきから田植までの日数を合わせることで、処理方法と使用時期が表示されるものであって、かつその表示を見て容易に情報を把握することができる除草剤処理適期早見表を提供することである。また、複数の処理剤の使用時期を１つの早見表にまとめた除草剤処理適期早見表を提供する。
【課題を解決するための手段】
【００１０】
本発明では、代かきから田植までの期間を基準にして除草剤の散布時期を確認するための除草剤処理適期早見表であって、回転円盤と、該回転円盤の少なくとも１つの面を覆う表示体とを備え、該表示体に対して前記回転円盤が回転可能に支持されており、前記表示体に覆われる前記回転円盤の面には、前記期間を示す１からＮ（Ｎは自然数）までの数字が前記回転円盤の周方向に間隔を置いて記載された第１の表示部と、該第１の表示部から前記回転円盤の回転半径方向に間隔をあけて、前記１からＮまでの数字のそれぞれに対応する除草剤処理情報が前記回転円盤の周方向に間隔を置いて記載された第Ｘ（Ｘは２以上の自然数）の表示部とが設けられ、前記表示体には、前記回転円盤を回転させて、前記第１の表示部の任意の１つの数字が視認可能なように形成された第１の表示穴と、該第１の表示穴に表示された前記期間に対応する情報が視認可能なように形成された第Ｘの表示穴とが設けられている。
【００１１】
また、前記表示部がＲ（Ｒは２以上の自然数）個の領域に区分けされ、Ｒ個のうちの１つの領域に前記期間と前記処理情報が視認可能に表示され、その他の領域にそれぞれ他の除草剤処理期間と処理情報が視認可能に表示されている。
さらに、前記表示体が前記回転円盤の面の両側に設けられ、前記表示体のそれぞれの端部を接続して前記回転円盤を内包する袋状にし、前記表示体の両側の面にさらに他の除草剤処理期間と処理情報がそれぞれ表示されている。
さらにまた、前記表示体の外周に少なくとも一つの切欠き部を設け、該切欠き部から露出している前記回転円盤の縁部を把持して前記回転円盤を回転させている。
また、前記第Ｘの表示体の表示穴から視認可能な情報には、一発処理を行う場合の情報と、体系処理を行う場合の情報が含まれている。
【発明の効果】
【００１２】
本発明では、代かきから田植までの期間を基準にして除草剤の散布時期を確認するための除草剤処理適期早見表であって、回転円盤と、該回転円盤の少なくとも１つの面を覆う表示体とを備え、該表示体に対して前記回転円盤が回転可能に支持されており、前記表示体に覆われる前記回転円盤の面には、前記期間を示す１からＮ（Ｎは自然数）までの数字が前記回転円盤の周方向に間隔を置いて記載された第１の表示部と、該第１の表示部から前記回転円盤の回転半径方向に間隔をあけて、前記１からＮまでの数字のそれぞれに対応する除草剤処理情報が前記回転円盤の周方向に間隔を置いて記載された第Ｘ（Ｘは２以上の自然数）の表示部とが設けられ、前記表示体には、前記回転円盤を回転させて、前記第１の表示部の任意の１つの数字が視認可能なように形成された第１の表示穴と、該第１の表示穴に表示された前記期間に対応する情報が視認可能なように形成された第Ｘの表示穴とが設けられているので、第１の表示穴に示された数字を合わせるだけで、必要な情報が第２〜第Ｘの表示穴から視認され、農薬の散布時期などの必要な情報を容易に把握することができる。また、必要な情報は、第２〜第Ｘの表示穴に示され、他の期間などの条件で表示されるべき回転円盤上の情報は表示体に覆われて見えないようになっているので、他の条件での情報を誤って読み取ることがない。さらに、期間に対し必要な情報を複数表示することができる。
【００１３】
また、前記表示部がＲ（Ｒは２以上の自然数）個の領域に区分けされ、Ｒ個のうちの１つの領域に前記期間と前記処理情報が視認可能に表示され、その他の領域にそれぞれ他の除草剤処理期間と処理情報が視認可能に表示されているので、例えば複数の農薬に関する情報を一つの面で表示することができる。
さらに、前記表示体が前記回転円盤の面の両側に設けられ、前記表示体のそれぞれの端部を接続して前記回転円盤を内包する袋状にし、前記表示体の両側の面にさらに他の除草剤処理期間と処理情報がそれぞれ表示されているので、一つの面で表示できなかった複数の農薬に関する情報を裏側を用いて一つの早見表で表示することができる。
さらにまた、前記表示体の外周に少なくとも一つの切欠き部を設け、該切欠き部から露出している前記回転円盤の縁部を把持して前記回転円盤を回転させているので、早見表の利用者が回転円盤を容易に回転させることができる。
また、前記第Ｘの表示体の表示穴から視認可能な情報には、一発処理を行う場合の情報と、体系処理を行う場合の情報が含まれているので、早見表の利用者は、２つの処理についての情報を一度に確認することができる。
【発明を実施するための最良の形態】
【００１４】
以下、本発明の第１の実施形態について、図１〜図４を用いて詳細に説明する。図１は、本発明の第１の実施形態に係る除草剤処理適期早見表の正面図を示している。
除草剤処理適期早見表（以下、早見表という）１には、回転円盤１０と、表示体２０，１２０，２２０と、ピン３０が設けられている。回転円盤１０は、表示体２０にピン３０で回転可能に軸支されており、表示体２０に対して回転円盤１０を手動で回転させることができるようになっている。
【００１５】
回転円盤１０の表面は、図２に示すように、この表面１０ａの外側から表示体２０によって覆われており、回転円盤１０の裏面１０ｂも同様に裏側板２７によって覆われている。この表示体２０と裏側板２７は左右の両端部で繋がれて袋状に一体に形成されている。
【００１６】
図３は、回転円盤１０の表面１０ａの正面図を示している。回転円盤１０の中心には、ピン３０と係合する回転穴１１が設けられている。表面１０ａには、第１の表示部１２、第２の表示部１３、第３の表示部１４がそれぞれ設けられている。第１の表示部１２は、回転円盤１０の周方向に帯状に延びており、その端部が繋がって連続した円形状になっている。第２の表示部１３は、第１の表示部１２より回転円盤１０の半径方向の外側に間隔を置いて設けられており、第３の表示部１４は、さらに第２の表示部１３の半径方向外側に間隔を置いて設けられている。
【００１７】
第１の表示部１２には、代かきから田植までの期間を示す数字が回転円盤１０の円周方向に等間隔に並べて記載されている。例えば、図３を参照して説明すると、この回転円盤１０には、１日間〜１４日間を示す数字が記載されており、この表示は農薬の種類や処理方法などによりそれぞれ異なる数字が割り振られることになる。
【００１８】
第２の表示部１３には、農薬の一発処理を行う場合の情報が記載されている。第１の表示部１２に表示された１つの数字に対応する情報は、この数字から見て回転円盤１０の半径方向と一致する位置に記載されている。例えば、図３を参照して説明すると、第１の表示部１２に記載されている数字が「３」の場合には、農薬を散布する必要がある期間が田植直後から７日後までなので、半径方向と一致する位置に「７」という数字が記載されている。また、例えば第１の表示部１２が「１２」の場合の様に、「体系処理へ」と数字以外の文字で表示することもできる。この表示は、一発処理では行うことができないので、体系処理で行なうことを示している。
【００１９】
第３の表示部１４には、農薬の体系処理を行う場合の情報が記載されている。第１の表示部１２に表示された１つの数字に対応する情報は、この数字から見て回転円盤１０の半径方向と一致する位置に記載されている。例えば、図３を参照して説明すると、第１の表示部１２に記載されている数字が「１２」の場合には、農薬を散布する必要がある期間が田植直後から８日後までなので、半径方向と一致する位置に「８」という数字が記載されている。また、例えば第１の表示部１２が「３」の場合には、体系処理では行うことができないので、一発処理で行なうことを示している。
【００２０】
図４は、表示体２０の正面図を示している。表示体２０は、回転円盤１０の直径とほぼ同等または大きい長さを一辺とする略四角形状に形成されており、表示体２０の中央には、ピン３０と係合する固定穴２１が設けられている。表示体２０の左右の辺には、切欠き部２５が設けられており、この切欠き部２５は、表示体２０の内側に向かってＲ形状に切欠かれている。また、この表示体２０には、角形形状の第１の表示穴２２、第２の表示穴２３、第３の表示穴２４がそれぞれ上下方向に揃えて形成されており、上側から第１の表示穴２２、第２の表示穴２３、第３の表示穴２４の順番に配置されている。
【００２１】
この第１の表示穴２２から固定穴２１までの長さは、回転円盤１０の第１の表示部１２から回転穴１１までの長さとほぼ等しくなるように形成されており、この第１の表示穴２２から第１の表示部１２に記載された１つの文字が見えるようになっている。第２の表示穴２３から固定穴２１までの長さについても、回転円盤１０の第２の表示部１３から回転穴１１までの長さとほぼ等しくなるように形成され、この第２の表示穴２３から第２の表示部１３に記載された１つの文字が見えるようになっている。同様に、第３の表示穴２４から固定穴２１までの長さは、回転円盤１０の第３の表示部１４から回転穴１１までの長さとほぼ等しくなるように形成されており、この第３の表示穴２４から第３の表示部１４に記載された１つの文字が見えるようになっている。
【００２２】
表示体２０の表面２０ａには、第１〜第３の表示穴２２，２３，２４から見える除草剤処理情報を補足的に説明する文字が記載されている。例えば、図４を参照して説明すると、第１の表示穴２２の部分には、その表示されている数字が、代かきから田植までの期間を示すものであることが一目で理解できるようになっている。また、第２の表示穴２３の部分には、その表示が一発処理の場合に、田植直後から何日後までに散布する必要があるかを示すものであることが一目で理解できるようになっている。同様に、第３の表示穴２４の部分には、その表示が体系処理の場合に、田植直後から何日後までに散布する必要があるかを示すものであることが一目で理解できるようになっている。
【００２３】
次に、本発明の第２の実施形態に係る除草剤処理適期早見表について図５および図６を用いて説明する。
図５は、第２の実施形態に係る表示体１２０を示している。この表示体１２０は、図４に示した第１の実施形態に使用した表示体２０の上側側半分に、別の農薬散布時期を確認できるように形成したものである。この表示体には、さらに第４の表示穴１２２、第５の表示穴１２３、第６の表示穴１２４が設けられており、表示体２０と同様な除草剤処理情報を補足的に説明する文字が記載されている。
【００２４】
図６は、第２の実施形態に係る回転円盤１１０を示している。この回転円盤１１０は、図３に示した第１の実施形態に使用した回転円盤１０に、さらに第４の表示部１１２、第５の表示部１１３、第６の表示部１１４が設けられている。
【００２５】
さらに、本発明の第３の実施形態について説明する。
この第３の実施形態では、上述の第１の実施形態または第２の実施形態を備えた状態で、さらに裏側に別の農薬散布時期を確認できるようにしたものである。
回転円盤１０の裏面１０ｂには、表面１０ａと同様の第１〜第６の表示部が設けられている。また、この裏面１０ｂを覆う表示体２２０には、表示体１２０と同様に第１〜第６の表示穴が設けられており、第１〜第６の表示穴から見える除草剤処理情報を補足的に説明する文字が記載されている。
【００２６】
次に、本発明の実施の形態に係る除草剤処理適期早見表の作用について説明する。
この除草剤処理適期早見表の利用者は、代かきから田植までの日数を決定しなければならない。次に、表示体２０の切欠き部２５からこの早見表の外側に露出している回転円盤１０の円周の短縁部をつかみ、表示体２０に対して回転円盤１０を手動で回転させる。このとき、表示体２０の第１の表示穴２２から見える数字を前記代かきから田植までの日数にあわせる。これにより、利用者は、一発処理の場合には、この除草剤を田植から何日後に散布する必要があるのかを、第２の表示穴２３に現れた数字により把握することができる。この場合、数字ではなく「体系処理へ」と表示された場合には、一発処理はできないことを利用者が把握することができる。また、体系処理の場合にはこの除草剤を田植から何日後に散布する必要があるのかを、第３の表示穴２４に現れた数字により把握することができる。この場合、数字ではなく「一発処理で」と表示された場合には、一発処理が可能なことを利用者が把握することができる。
【００２７】
本発明の実施の形態に係る除草剤処理適期早見表では、回転円盤１０を回転させて、「代かきから田植までの日数」を合わせることにより、使用適期が自動的に表示することができる。また、第１〜第３の表示部１２，１３，１４および第１〜第３の表示穴２２，２３，２４を設けることにより、体系処理と一発処理との両方の使用適期を表示することができる。さらに、表示体２０の１つの面の領域を２つに分け、さらに表示体２０の裏側の表示体２２０にも表示することで、少なくとも４つの種類の除草剤についての情報を表示することができる。
【００２８】
以上、本発明の実施の形態について述べたが、本発明は既述の実施形態に限定されるものではなく、本発明の技術思想に基づいて各種の変形および変更が可能である。
例えば、第１の実施例では、回転円盤１０が表示体２０と裏側板２７で袋状に形成されているが、裏側板２７を設けずに、回転円盤１０と表示体２０を重ね合せただけの状態で構成することもできる。これにより、より簡素な構造の除草剤処理適期早見表を提供することができる。
【図面の簡単な説明】
【００２９】
【図１】本発明の第１の実施形態に係る除草剤処理適期早見表の正面図である。
【図２】図１のＡ−Ａ線により切断し、分解した状態を示す断面図である。
【図３】本発明の第１の実施形態に係る回転円盤の正面図である。
【図４】本発明の第１の実施形態に係る表示体の正面図である。
【図５】本発明の第２の実施形態に係る表示体の正面図である。
【図６】本発明の第２の実施形態に係る回転円盤の正面図である。
【符号の説明】
【００３０】
１  除草剤処理適期早見表
１０  回転円盤
１０ａ  表面
１０ｂ  裏面
１１  回転穴
１２  第１の表示部
１３  第２の表示部
１４  第３の表示部
２０  表示体
２０ａ  表面
２１  固定穴
２２  第１の表示穴
２３  第２の表示穴
２４  第３の表示穴
２５  切欠き部
２７  裏側板
３０  ピン
１１０  回転円盤
１１２  第４の表示部
１１３  第５の表示部
１１４  第６の表示部
１２０  表示体
１２２  第４の表示穴
１２３  第５の表示穴
１２４  第６の表示穴
２２０  表示体
【図１】
2005229816.tif 000003
【図２】
2005229816.tif 000004
【図３】
2005229816.tif 000005
【図４】
2005229816.tif 000006
【図５】
2005229816.tif 000007
【図６】
2005229816.tif 000008